(57)【要約】      （修正有）【課題】布巾掛けに布巾以外の、ペットボトル・ジッパー袋・紙パック等の自然乾燥をより効率よく水切りをさせる事が出来るとした、乾燥用アダプタを提供する。【解決手段】クリップ本体１の基部１Ａに固定された支持棒５を備え、布巾掛けのアーム６Ａ・６Ｂ・６Ｃに安定して固定出来るようクリップ本体１の内側に摩擦係数が大きな滑り止め材を設けた。支持棒５に、ペットボトルＡの口や、ジッパー袋Ｂの開口口・牛乳紙パックＣの開口口を挿入することで、ペットボトルＡや牛乳紙パックＣは逆さまに向けることが出来、また、ジッパー袋Ｂの口を斜め下方に向けることで、効率よく水切りが出来る。同様のアダプタで、それぞれが水切りに最適な角度を維持できる。【選択図】図３
2014184053.tif 000002
【特許請求の範囲】
【請求項１】
クリップの一部に乾燥用支持棒を固定するとともに、上記クリップの狭持部の内面にクッション性を有するとともに、摩擦係数が大きな滑り止め材を設けた事を特徴とする乾燥用アダプタ。
【発明の詳細な説明】
【技術分野】
【０００１】
本発明は、ジッパー袋やペットボトルなどを効率よく乾燥させる事が出来る、乾燥用アダプタに関するものである。
【背景技術】
【０００２】
家庭の台所の布巾掛けは、いずれも水平方向にアームが複数本取り付けられた構造となっており、そのアームに、濡れた布巾等を広げて掛けて自然乾燥させている。実は、この布巾掛けのアームには、ほとんどの家庭では、布巾のみを掛けているのではなく、洗浄したジッパー袋や紙パック・ゴム手袋など、再利用しようとする布巾以外の物を洗浄して布巾掛けのアームに掛けたりして使用している人が多いが、水平方向に設けられた布巾掛けのアームを用いて、ジッパー袋を乾燥させようとしても、ビニール袋の下方に、洗浄時に残った水滴などが溜まり、十分に水切り出来る状態ではない。これらを乾かす為の道具は種々発案されており、例えば、数本の棒状の物が針山のように突起しているものに、ペットボトルやジッパー袋を伏せて挿入し自然乾燥できる様にした物もある。特許文献１・特許文献２に示すものでは、ボトルピンチをフックに掛けてペットボトルを逆さに狭持して水を切ることができるようにしている。特許文献３に示すものは、数本の棒を立設し、この棒に逆さにしたボトルを挿入して、ボトルの底が棒に突き当たる状態でボトルを水切りして乾燥させるというものである。
【先行技術文献】
【特許文献】
【０００３】
【特許文献１】実用新案登録第３１４６２２９号    ボトルピンチ
【特許文献２】実用新案登録第３１４６５２３号    ボトルピンチ２型
【特許文献３】特開２００６−２１２１７６    ボトル立て
【発明の概要】
【発明が解決しようとする課題】
【０００４】
しかしながら、布巾やペットボトルや紙パックや袋物等、形状の違う物を効率よく速やかに自然乾燥するためには、それぞれの形状に合う専用の乾燥具を備えなければならないという問題点がある。
【０００５】
本発明は、このような問題点を解決し、布巾掛けなどに取り付けて、ペットボトルや紙パック。袋物や手袋等様々なものを乾燥させることが出来る乾燥用アダプタを提供しようとするものである。
【課題を解決するための手段】
【０００６】
以上の事を解決する為に、第１の発明はクリップの一部に乾燥用支持棒を固定するとともに、前記クリップの狭持部の内面に摩擦係数が大きく、かつクッション性を有する滑り止め材を設けた。
【発明の効果】
【０００７】
本発明によれば、クリップの一部に固定された支持棒に、ペットボトルの口や、ジッパー袋の開口口などの乾燥させたいものを挿入することで、ペットボトルの場合は、ペットボトル口は逆さまに向けて乾燥させることが出来る。また、クリップの狭持部の内側に摩擦係数が大きく、かつクッション性を有する滑り止め材を設けたことで、支持棒の角度を一定に保つことができ、支持棒の機能を維持で来るとともに、太さの異なる布巾掛けのアームなどにも安定して固定出来る。
【発明を実施するための形態】
【０００８】
以下、本発明の実施する形態を図１〜３に基づいて具体的に説明する。
【０００９】
図１において、１はクリップ本体で、このクリップ本体１には、一対の把手２を備え、把手２を狭持する事でクリップの開口口３が開くよう構成されている。
【００１０】
さらに、クリップ本体１の基部１Ａには、ぺットボトルや紙パック、ジッパー袋等を挿入するための支持棒５が固着されている。
【００１１】
クリップ本体１の内面には滑り止め材４が備えられ、クリップ１の内面と滑り止め材４は両面テープ又は接着材で固着されている。
【００１２】
この滑り止め材４の摩擦性とクッション性により、クリップ本体１を布巾掛けのアームに取り付ける場合、クリップ本体１が布巾掛けのアームを軸に回転しないよう安定、確実に挟むことが出来る様に構成している。
【００１３】
ここで、滑り止め材４は、表面が凹凸の形状をしたクッション性があり、かつ摩擦係数の大きな素材からなり、素材はシリコン等が望ましい。
【００１４】
支持棒５は硬質な素材からなり、例えば、ペットボトル・紙パック・ジッパー袋等を挿入しても容易に曲がらない硬度を持ち、なおかつ、ペットボトルの紙パック・ジッパー袋のそれぞれの飲み口や開口口がスムーズに挿入出来る太さと、ペットボトルを挿入しても落ちない長さを有し、素材は簡単に水洗い出来るシリコン等が衛生的で望ましい。
さらに、この例では支持棒５の形態は一本の棒にしているが、支持棒５全体を伸縮させることができる差し棒の様な伸縮出来る構造としてもよい。
【００１５】
本発明の布巾掛けアダプタの使い方の図２を用いて説明をする。
７は住宅の柱で、布巾掛けの基部８は柱７に取り付けられている。
【００１６】
６Ａ・６Ｂ・６Ｃは布巾掛けアームでそれぞれの基部の筒状部６１Ａ・６１Ｂ・６１Ｃは、基部８と一体の軸（図示せず）に対してそれぞれが回動出来るようになっている。
【００１７】
例えば、アーム６Ａにクリップ本体１を装着する為には、本体１に備えてある把手２を利き手の親指と人差し指及び中指等とで挟みつまむ。そうすることで、クリップ開口口３が解放され、クリップ本体１でアーム６Ａを挟持させることにより図のようにクリップ本体１をアーム６Ａに固定することができる。また図のように支持棒５が上を向くように、クリップ本体１をアーム６Ａに固定する。
【００１８】
図３は、本発明のアダプターを使用して、布巾掛けにペットボトル、ジッパー袋・牛乳紙パック等を乾燥させる状態を示すもので、Ａはペットボトルで、Ｂはジッパー袋で、Ｃは牛乳紙パックである。
【００１９】
ペットボトルＡを自然乾燥させる場合のクリップ１の取り付け位置は、出来るだけアーム６Ａの根元側に設置し、ぺットボトルＡの開口口を逆さ状態にして、支持棒５の先端より挿入する。
【００２０】
ジッパー袋Ｂを自然乾燥させる場合のクリップ１の接合位置は、出来るだけアーム６Ｃの先端側に設置し、ジッパー袋Ｂの開口口をアーム６Ｂの先端より挿入し、支持棒５の先端側がジッパー袋Ｂの内側上に当接させるようにする。
【００２１】
牛乳パックＣを自然乾燥させる場合のクリップ１の取り付け位置は、出来るだけアーム６Ｃの根元側に設置し、牛乳パックＢの開口口を逆さ状態にして、支持棒５の先端より挿入する。
【００２２】
このように、本発明のアダプターを布巾掛けなどに固定することにより、布巾掛けに布巾のみならず、ペットボトルや、ジッパー袋・また紙パック等を、洗浄して自然乾燥させる事ができるため、それぞれ専用の乾燥具を準備しなくても、家庭に一般的に備えている布巾掛けに本発明のアダプタを装着することで、乾燥具として多目的な機能を持った布巾掛けとなる。
また、布巾掛け以外でも、例えば洗濯物竿に装着出来る程の大きさのアダプタを用意すれば、衣服の襟に付いているフード等の袋状の物を干す時の補助具としても使用可能である
【図面の簡単な説明】
【００２３】
【図１】図１は、本発明による布巾掛け用アダプタの斜視図である。
【図２】図２は、同、布巾掛け用アダプタを布巾掛けに設けた一例を示す斜視図である。
【図３】図３は、同、布巾掛けに布巾掛け用アダプタを設け、ペットボトルとジッパー袋を装着した一例を示す斜視図である。
【符号の説明】
【００２４】
１、クリップ
１Ａ、クリップの基部
２、把手
３、クリップ開口口
４、滑り止め材
５、支持棒
６Ａ、６Ｂ、６Ｃ、布巾掛けのアーム
６１Ａ、６１Ｂ、６１Ｃ、アームの基部、
７、柱
８、基部
Ａ、ペットボトル
Ｂ、ジッパー袋
Ｃ、牛乳紙パック
【図１】
2014184053.tif 000003
【図２】
2014184053.tif 000004
【図３】
2014184053.tif 000005
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
布巾掛けのアームに取り付けて、ペットボトル等を乾燥させるための乾燥用アダプタであって、布巾掛けのアームを挟持するためのクリップ本体の基部に乾燥用支持棒を固定するとともに、上記クリップの挟持部の内面にクッション性を有するとともに、摩擦係数が大きな滑り止め材を設けた事を特徴とする乾燥用アダプタ。